(57)【特許請求の範囲】
【請求項１】
表面に撮影枚数目盛りが記されて回動自在に支持された撮影枚数表示板と、この撮影枚数表示板と同軸で一体に回動され、外周に複数の歯が形成された係止ギヤと、撮影枚数表示板の外周に形成され、該撮影枚数表示板の回動方向において、係止ギヤに対して半ピッチ未満で位相がずらされた複数の歯を有する歩進ギヤと、写真フイルムの１コマ分の移送により回転される従動スプロケットと、この従動スプロケットと同軸で一体に回転され歩進ギヤの歯に噛合して撮影枚数表示板を一目盛り分回動させる駆動ギヤと、この駆動ギヤと同軸で一体に回転され駆動ギヤが歩進ギヤに噛合されない間、係止ギヤの歯間の一つに一部を入り込ませて撮影枚数表示板の回動を阻止する係止カムとからなることを特徴とするフイルムカウンタ機構。
【請求項２】
前記駆動ギヤは、撮影枚数表示板を回動させるときにのみ歩進ギヤに接触する形状であることを特徴とする請求項１記載のフイルムカウンタ機構。
【請求項３】
表面に撮影枚数目盛りが記されて回動自在に支持された撮影枚数表示板と、この撮影枚数表示板の外周に形成され、複数の歯を有する係止ギヤと、この係止ギヤの下部に設けられて同軸で一体に回動されるとともに、該撮影枚数表示板の回動方向において、係止ギヤに対して半ピッチ未満で位相がずらされた複数の歯を有する歩進ギヤと、写真フイルムの１コマ分の移送により回転される従動スプロケットと、この従動スプロケットと同軸で一体に回転され歩進ギヤの歯に噛合して撮影枚数表示板を一目盛り分回動させる駆動ギヤと、この駆動ギヤの上部に設けられて同軸で一体に回転され、駆動ギヤが歩進ギヤに噛合されない間、係止ギヤの歯間の一つに一部を入り込ませて撮影枚数表示板の回動を阻止する係止カムとからなることを特徴とするフイルムカウンタ機構。
【請求項４】
前記駆動ギヤは、撮影枚数表示板を回動させるときにのみ歩進ギヤに接触する形状であることを特徴とする請求項３記載のフイルムカウンタ機構。
【請求項５】
表面に回動方向に沿って撮影枚数目盛りが記された撮影枚数表示板と、この撮影枚数表示板と一体に形成された歩進ギヤ、及びこの歩進ギヤに対して位相がずらされている歯が形成された係止ギヤと、写真フイルムの１コマ分の移送により回転される従動スプロケットと、この従動スプロケットと同軸で一体に回転され歩進ギヤの歯に噛合して撮影枚数表示板を一目盛り分回動させる駆動ギヤと、この駆動ギヤと同軸で一体に回転され、駆動ギヤが歩進ギヤに噛合されない間、係止ギヤの歯間の一つに一部を入り込ませて撮影枚数表示板の回動を阻止する係止カムと、該係止ギヤの外周と歩進ギヤの外周とのいずれか一方または両方に設けられ、カウント終了時に使用される歯と、カウント開始時に使用される歯との間に配置された数歯分の歯のない欠歯区間とを備えたフイルムカウンタ機構のリセット方法において、
前記フイルムカウンタ機構によるカウント終了後に、前記欠歯区間を利用して撮影枚数表示板を外部から強制的に回動させ、カウント開始時に使用される歯を係止カムと駆動ギヤとのいずれか一方または両方に対面させることを特徴とするフイルムカウンタのリセット方法。
【発明の詳細な説明】
【０００１】
【産業上の利用分野】
本発明は、写真フイルムの１コマ分の移送をカウントするフイルムカウンタ機構及びそのリセット方法に関するものである。
【０００２】
【従来の技術】
従来、撮影レンズやフイルム巻上げ機構及びシャッタ機構等の撮影機構が組み込まれたユニット本体内に、予め１３５サイズの写真フイルムを収納したレンズ付きフイルムユニット、例えば「写ルンですＨｉ」（商品名）等が本出願人より製造販売されている。レンズ付きフイルムユニットは、気軽に購入して写真撮影が楽しめるように安価なものとなっている。
【０００３】
このようなレンズ付きフイルムユニットでは、収納された写真フイルムの残り枚数を表示するためにフイルムカウンタ機構が組み込まれている。このフイルムカウンタ機構は、表面に撮影枚数目盛が設けられ外周に歯が形成された円板状の撮影枚数表示板と、写真フイルムのパーフォレーションに噛合して、写真フイルムが１コマ分巻き上げられる毎に１回転される従動スプロケットと、この従動スプロケットと同軸で一体に回転し、撮影枚数表示板の歯に噛合して一目盛り分だけ回動させる歯を１個備えた駆動ギヤである一歯ギヤとから構成されている。
【０００４】
上記一歯ギヤは、断面がほぼ楕円形をした軸の外周の一部が切り欠かれ、この切欠部分が歯とされたもので、回転中に外周の各部が撮影枚数表示板の歯に対面することになり、円弧部分が撮影枚数表示板の歯に対面しているときには僅かながら歯間に入り込んで、振動や衝撃により撮影枚数表示板が不用意に回動するのを防止している。しかしながら、一歯ギヤは真円形状ではないため１回転する間に撮影枚数表示板との噛合量が変化して、一歯ギヤと撮影枚数表示板との間でガタツキが生じ、１回転する間に撮影枚数表示板を二目盛り分回動させてしまうことがあった。
【０００５】
上記のような問題を解決するために、図１５に示すように、撮影枚数表示板１０５の下部に同軸で一体に回動される係止ギヤ１０６を設け、一歯ギヤ１０７の下部に同軸で一体に回転され係止ギヤ１０６に噛合される係止カム１０８を設けたフイルムカウンタ機構が提案されている。このフイルムカウンタ機構によれば、係止カム１０８は、一歯ギヤ１０７が撮影枚数表示板１０５を回動させる直前まで係止ギヤ１０６に噛合して、撮影枚数表示板１０５の不用意な回動を防止し、一歯ギヤ１０７が撮影枚数表示板１０５を回動させると、直ぐに係止ギヤ１０６に噛合して撮影枚数表示板１０５の余分な回動を防止している。
【０００６】
【発明が解決しようとする課題】
しかしながら、上記フイルムカウンタ機構では一歯ギヤ１０７と撮影枚数表示板１０５との噛合量が少ないため、一歯ギヤ１０７が撮影枚数表示板１０５に噛合できずに空回りしてしまい、撮影枚数表示板１０５の表示内容が実際の撮影数よりも少なく表示されるという問題が発生する。これを解決するために、一歯ギヤ１０７の歯１０７ａを大きくして撮影枚数表示板１０５との噛合量を大きくすることも考えられるが、撮影枚数表示板１０５を回動させた後の一歯ギヤ１０７の抜けが悪くなり、撮影枚数表示板１０５を余分に回動させてしまうという問題がある。
【０００７】
また、上記フイルムカウンタ機構が用いられるレンズ付きフイルムユニット等の撮影可能枚数を増やした場合、係止ギヤ１０６の歯のピッチが狭くなって係止ギヤ１０６と係止カム１０８との噛合量が減少し、不用意な回動を防止するという効果が減じてしまうという問題がある。これを解決するために、係止ギヤ１０６の外径を大きくして係止カム１０８との噛合量を大きくすることができる。しかしながら、例えば係止ギヤ１０６の外径を上部の撮影枚数表示板１０５よりも大きくすると、係止カム１０８や一歯ギヤ１０７が一体に形成されたカム軸を組み付けた後に撮影枚数表示板１０５を組み付ける際に、係止ギヤ１０６を一歯ギヤ１０７の下部に移動させることができなくなるため組み付けできなくなるという問題がある。
【０００８】
本発明は、上記問題点に鑑みてなされたもので、駆動ギヤのガタツキや空回りによる撮影枚数表示板の余分な回動や回動不能を防止することを目的とする。
【０００９】
【課題を解決するための手段】
上記問題点を解決するために、請求項１記載のフイルムカウンタ機構は、表面に撮影枚数目盛りが記されて回動自在に支持された撮影枚数表示板と、この撮影枚数表示板と同軸で一体に回動され、外周に複数の歯が形成された係止ギヤと、撮影枚数表示板の外周に形成され、該撮影枚数表示板の回動方向において、係止ギヤに対して半ピッチ未満で位相がずらされた複数の歯を有する歩進ギヤと、写真フイルムの１コマ分の移送により回転される従動スプロケットと、この従動スプロケットと同軸で一体に回転され歩進ギヤの歯に噛合して撮影枚数表示板を一目盛り分回動させる駆動ギヤと、この駆動ギヤと同軸で一体に回転され駆動ギヤが歩進ギヤに噛合されない間、係止ギヤの歯間の一つに一部を入り込ませて撮影枚数表示板の回動を阻止する係止カムとから構成したものである。
【００１０】
また、請求項２記載のフイルムカウンタ機構は、駆動ギヤの形状を、撮影枚数表示板を回動させるときにのみ歩進ギヤに接触する形状としたものである。
【００１１】
また、請求項３記載のフイルムカウンタ機構は、表面に撮影枚数目盛りが記されて回動自在に支持された撮影枚数表示板と、この撮影枚数表示板の外周に形成され、複数の歯を有する係止ギヤと、この係止ギヤの下部に設けられて同軸で一体に回動されるとともに、該撮影枚数表示板の回動方向において、係止ギヤに対して半ピッチ未満で位相がずらされた複数の歯を有する歩進ギヤと、写真フイルムの１コマ分の移送により回転される従動スプロケットと、この従動スプロケットと同軸で一体に回転され歩進ギヤの歯に噛合して撮影枚数表示板を一目盛り分回動させる駆動ギヤと、この駆動ギヤの上部に設けられて同軸で一体に回転され、駆動ギヤが歩進ギヤに噛合されない間、係止ギヤの歯間の一つに一部を入り込ませて撮影枚数表示板の回動を阻止する係止カムとから構成したものである。
【００１２】
更に、請求項４記載のフイルムカウンタ機構は、駆動ギヤの形状を、撮影枚数表示板を回動させるときにのみ歩進ギヤに接触する形状としたものである。
【００１３】
また、請求項５記載のフイルムカウンタ機構のリセット方法は、表面に回動方向に沿って撮影枚数目盛りが記された撮影枚数表示板と、この撮影枚数表示板と一体に形成された歩進ギヤ、及びこの歩進ギヤに対して位相がずらされている歯が形成された係止ギヤと、写真フイルムの１コマ分の移送により回転される従動スプロケットと、この従動スプロケットと同軸で一体に回転され歩進ギヤの歯に噛合して撮影枚数表示板を一目盛り分回動させる駆動ギヤと、この駆動ギヤと同軸で一体に回転され、駆動ギヤが歩進ギヤに噛合されない間、係止ギヤの歯間の一つに一部を入り込ませて撮影枚数表示板の回動を阻止する係止カムと、該係止ギヤの外周と歩進ギヤの外周とのいずれか一方または両方に設けられ、カウント終了時に使用される歯と、カウント開始時に使用される歯との間に配置された数歯分の歯のない欠歯区間とを備えたフイルムカウンタ機構のカウント終了後に、前記欠歯区間を利用して撮影枚数表示板を外部から強制的に回動させ、カウント開始時に使用される歯を係止カムと駆動ギヤとのいずれか一方または両方に対面させるようにしたものである。
【００１４】
上記解決手段によれば、写真フイルムが１コマ分巻き上げられると従動スプロケットが回転し、駆動ギヤが一緒に回転する。駆動ギヤは、歩進ギヤに噛合して撮影枚数表示板を一目盛り分回動させるが、歩進ギヤの歯は、係止ギヤの歯に対して、該撮影枚数表示板の回転方向に半ピッチ未満で位相をずらして設けられているので、駆動ギヤと歩進ギヤとの噛合量が大きくなり、撮影枚数表示板は確実に一目盛り分だけ回動される。また、撮影枚数表示板の回動が終了した後には、歩進ギヤと駆動ギヤとの噛合が解除されやすくなっているので、余分に撮影枚数表示板が回動されることはない。更に駆動ギヤは、撮影枚数表示板を回動させるとき以外は歩進ギヤに干渉しない形状とされているので、撮影枚数表示板は駆動ギヤの歯以外の部分によって余分な回動をさせられることはない。
【００１５】
また、撮影可能枚数を増加する場合には、撮影枚数表示板の下部に撮影枚数表示板を一目盛りずつ回動させるための歩進ギヤを設け、撮影枚数表示板の歯を係止用に用いる。これにより、撮影枚数表示板の歯のピッチが狭くなっても、撮影枚数表示板を大径化して係止カムとの噛合量を大きくすることができる。
【００１６】
更に、欠歯区間を利用して撮影枚数表示板を外部から強制的に回動させることができるので、フイルムカウンタ機構の再利用を容易に行うことができる。
【００１７】
【発明の実施の形態】
図２は、本発明を用いたレンズ付きフイルムユニットの外観を示すものである。レンズ付きフイルムユニット２は、薄型化の向上を図ったタイプのものであり、撮影機構等が内蔵されたユニット本体３とこれを収納する外ケース４とから構成されている。外ケース４は、ユニット本体３に組み込まれた巻上げノブ５を露呈させるような輪郭となっており、ストロボ発光部６，シャッタボタン７，撮影レンズ８，対物側ファインダ窓９ａ及び撮影枚数表示窓１０等を露出させるための穴が設けられている。また、ストロボ発光部６の下部にはストロボ充電スイッチ１１が設けられている。
【００１８】
図３に分解して示すように、ユニット本体３は、本体基部１２，露光ユニット１３，ストロボユニット１４，後カバー１５及び前カバー１６から構成されており、これらは爪係合によって組み付けられる。
【００１９】
本体基部１２は、不透明なプラスチックで形成されており、光軸１８上に遮光筒１９が設けられている。この裏側には、写真フイルムへの露光範囲を決定するアパーチャーが形成されている。遮光筒１９の両側には、パトローネを収納するパトローネ収納室２０と、写真フイルムをロール状にして収納するフイルムロール室２１とが形成されている。パトローネ収納室２０の外壁前面は、フイルムロール室２１の外壁前面よりも前方に突出した形状となっている。
【００２０】
ストロボユニット１４は、プリント基板２４と発光部６とから構成されている。プリント基板２４には、ストロボ回路を構成する電気部品２４ａと露光ユニット１３のシャッタ機構によってオンされる発光スイッチ２４ｂとが取り付けられている。また、発光部６は、放電管，反射傘，拡散板６ａを樹脂製のホルダ６ｂで保持したものである。
【００２１】
後カバー１５は、不透明なプラスチックで形成されており、アパーチャーに対面する部分にフイルム支持面１５ａが形成されている。底面側には、パトローネ収納室２０とフイルムロール室２１との底面を覆うプルトップ式の蓋１５ｂ，１５ｃとがそれぞれ設けられている。蓋１５ｂは露光済み写真フイルムを収納したパトローネを取り出すときの取り出し蓋となる。フイルム支持面１５ａの上方には、接眼側ファインダ窓９ｂが形成されている。
【００２２】
前カバー１６は、不透明なプラスチックで形成されており、シャッタボタン７，対物側ファインダ窓９ａ，撮影枚数表示窓１０，ストロボ充電スイッチ１１，等が形成されている。そして、前カバー１６には、パトローネ収納室２０の突出に合わせた突出部２６が形成されており、この突出部２６は撮影時にグリップとなる。
【００２３】
露光ユニット１３は、不透明なプラスチックで形成されたベース部２８に、フイルム巻上げ機構，フイルムカウンタ機構，シャッタ機構等が組み込まれている。また、ベース部２８の前面側には撮影レンズ８が組み込まれており、ベース部２８の上部にはファインダ２９が組み込まれている。このファインダ２９の上部には、透明なプラスチックで形成された保持板３０が取り付けられている。露光ユニット１３は、本体基部１２の前面に着脱自在に取り付けられる。
【００２４】
フイルムカウンタ機構は、図４に示すように、写真フイルム３２のパーフォレーション３２ａに噛合し、写真フイルム３２が矢線方向に１コマ分巻上げられる際に１回転される従動スプロケット３３と、この従動スプロケット３３に組み付けられて一体に回転されるカム軸３４と、このカム軸３４の１回転により一目盛り分回動される撮影枚数表示板３５とから構成されている。
【００２５】
図５に示すように、カム軸３４と撮影枚数表示板３５とは、露光ユニット１３のメカベース２８の上面に形成された軸受け部３７と軸３８とに回転自在に挿入されており、カム軸３４と従動スプロケット３３とは、軸受け部３７にカム軸３４が挿入された際にメカベース２８内で組み付けられる。
【００２６】
カム軸３４には、上側から撮影枚数表示板３５を駆動する駆動ギヤである一歯ギヤ４０，係止カム４１，巻止めカム４２，シャッタチャージカム４３，軸４４が一体に形成されている。巻止めカム４２は外周に溝が形成されており、写真フイルム３２が１コマ分巻き上げられると周知の係止レバーが係合して写真フイルムの巻上げを規制するためのものである。また、シャッタチャージカム４３は、写真フイルム３２の１コマ分の巻き上げに連動して周知のシャッタ駆動レバーをシャッタチャージ位置に移動するためのものである。
【００２７】
図１に示すように、一歯ギヤ４０は、軸４４と同軸の円柱の周面から略放射状に１個の突起４０ａが突出されたもので、この突起４０ａは一歯ギヤ４０が１回転するごとに撮影枚数表示板３５の外周に形成された歯３５ａに一度噛合され、撮影枚数表示板３５を一目盛り分回動する。また、一歯ギヤ４０は、撮影枚数表示板３５を実際に回動させるとき以外は撮影枚数表示板３５に接触されない形状とされており、従来の断面が楕円形の一歯ギヤのように歯以外の部分で影枚数表示板３５を余分に回動させるようなことはない。
【００２８】
係止カム４１は、撮影枚数表示板３５の下部に一体に形成された係止ギヤ４６の歯４６ａに噛合して、撮影枚数表示板３５の不用意な回動を防止するものである。係止カム４１は、軸４４と同軸とされた円柱から構成されており、この円柱の周面には一歯ギヤ４０の突起４０ａを挟み込むように切欠４１ａが設けられている。この切欠４１ａは、一歯ギヤ４０が撮影枚数表示板３５に噛合して一目盛り分回動させるときに係止ギヤ４６に対面して、係止ギヤ４６との噛合を解除する。なお、係止ギヤ４６の歯４６ａの円弧径と係止カム４１の外径とは同径とされているので、係止カム４１の回転に何ら支障はない。
【００２９】
また、係止ギヤ４６の歯４６ａは、撮影枚数表示板３５の歯３５ａに対して位相が僅かにずらされて設けられている。これにより、一歯ギヤ４０の突起４０ａが最初に撮影枚数表示板３５の歯３５ａに接触するときの噛合量は、２点鎖線で示す、歯４６ａと同位相とされた従来の歯３５ｂとの噛合量よりも格段に大きくなり、一歯ギヤ４０が撮影枚数表示板３５に噛合できずに空回りしてしまうという不具合は発生しない。
【００３０】
また、一歯ギヤ４０が撮影枚数表示板３５を回動させ終わって撮影枚数表示板３５との噛合を解除する際には、図６に示すように、突起４０ａと歯３５ａとが引っ掛かることはなく、突起４０ａは素直に抜けるので、突起４０ａが歯３５ａから抜けきらずに撮影枚数表示板３５を余分に回動させてしまうようなこともない。
【００３１】
図５に示すように、露光ユニット１３の上部には保持板３０が取り付けられるが、この保持板３０には、メカベース２８の軸３８が挿入される軸孔３０ａと、カム軸３４の上端に突出された軸４４が挿入される軸孔３０ｂとが形成されている。また、保持板３０の下面にはメカベース２８に形成された係止レバー用の軸４８に挿入されるピン３０ｃが形成されており、各軸３８，４４，４８の間隔が一定に保たれるようになっている。これにより、一歯ギヤ４０と撮影枚数表示板３５との噛合、及び係止カム４１と係止ギヤ４６との噛合がより確実なものとなり、更に正確な撮影枚数表示を行うことができる。
【００３２】
また、保持板３０の上面には、撮影枚数表示板３５の上方に配置される位置にレンズ３０ｄが形成されている。このレンズ３０ｄは、ユニット本体３が組み立てられたときに前カバー１６の撮影枚数表示窓１０に対向し、撮影枚数表示板３５の撮影枚数目盛りを拡大表示する。
【００３３】
次に本実施形態の作用について説明する。図２に示すレンズ付きフイルムユニット２は、接眼側ファインダ窓９ｂを覗いて構図を決定した後にシャッタボタン７を押下して撮影を行う。撮影後には、露光済み写真フイルム３２のパトローネへの巻き上げと、次の撮影のためのシャッタチャージとを兼ねて巻上げノブ５を図２において反時計方向に回転操作する。
【００３４】
巻上げノブ５が回転操作されると、巻上げノブ５に係合されたパトローネのスプールが回転され、このスプールに端部が係止された写真フイルム３２は、図４に示すように、矢線方向に向けて撮影画面の１コマ分が移送される。写真フイルム３２が１コマ分移送されると、写真フイルム３２のパーフォレーション３２ａに噛合された従動スプロケット３３が１回転され、この従動スプロケット３３に同軸で組み付けられたカム軸３４が図５において反時計方向に１回転される。
【００３５】
カム軸３４が反時計方向に回転されると、カム軸３４に一体に形成された一歯ギヤ４０の突起４０ａが、図１に示すように、撮影枚数表示板３５の歯３５ａに噛合する。この一歯ギヤ４０は、突起４０ａが歯３５ａに噛合されるまで撮影枚数表示板３５に接触しないので、撮影枚数表示板３５は不要な回動をすることはない。突起４０ａと歯３５ａとの噛合は、歯３５ａが係止ギヤ４６の歯４６ａに対して位相がずらされていることにより、係止ギヤ４６の歯４６ａに同位相で設けられていた従来の歯３５ｂとの噛合に比べて格段に大きなものとなるので、確実に撮影枚数表示板３５を一目盛り分回動させることができる。
【００３６】
また、メカベース２８の軸３７，３８，４８は、保持板３０によって軸間距離が一定に保たれているので、各軸間が広がることによって一歯ギヤ４０が撮影枚数表示板３５に噛合できずに空回りすることはない。
【００３７】
係止カム４１は、レンズ付きフイルムユニット２に強い衝撃や振動等が与えられても撮影枚数表示板３５が不用意な回動をしないように、常に係止ギヤ４６の歯４６ａに噛合して不用意な回動を防止している。そして、一歯ギヤ４０の突起４０ａが撮影枚数表示板３５の歯３５ａに噛合して回動させる際には、外周に形成された切欠４１ａが係止ギヤ４６に対面して係止カム４１と係止ギヤ４６との噛合を解除するので、撮影枚数表示板３５は何ら支障なく回動することができる。
【００３８】
一歯ギヤ４０による撮影枚数表示板３５の一目盛り分の回動が終了すると、すぐに係止カム４１が係止ギヤ４６に噛合して撮影枚数表示板３５の不要な回動を阻止する。また、撮影枚数表示板３５の歯３５ａが係止ギヤ４６の歯４６ａに対して位相がずらされて設けられていることにより、一歯ギヤ４０の突起４０ａは、図６に示すように歯３５ａから素直に抜けることができるので、撮影枚数表示板３５が余分に回動されることもない。
【００３９】
次に、本発明の別の実施形態について説明する。図７及び図８は、新規な配列のパーフォレーションを有する写真フイルムが装填されたレンズ付きフイルムユニットのフイルムカウンタ機構の概略を示すものである。露光ユニットのメカベース５０の上面には、軸受け部５１と軸５２とが一体に形成されており、これらの軸受け部５１と軸５２とには、カム軸５３と撮影枚数表示板５４とが回転自在に挿入されている。また、メカベース５０の内部では、カム軸５３の下端に従動スプロケット５５が同軸で組み付けられている。
【００４０】
従動スプロケット５５は、外周面５５ａ上に対をなす大歯５７と小歯５８とが回転対称で二対設けられており、写真フイルム５９の矢印方向への１コマ分の移送によって、図中反時計方向に半回転（１８０°）される。
【００４１】
この従動スプロケット５５が噛合される写真フイルム５９は、撮影画面１コマあたりに大歯５７が噛合される大パーフォレーション６０と、小歯５８が噛合される小パーフォレーション６１とが１個ずつ形成されたもので、これら大パーフォレーション６０と小パーフォレーション６１とは、フイルムの長手方向において交互に配置され、更にその間隔は、長い間隔と短い間隔との２種類が交互に用いられている。そして、長い間隔で配置された大パーフォレーション６０と小パーフォレーション６１との間には撮影画面の１コマが配置され、短い間隔で配置された大パーフォレーション６０と小パーフォレーション６１とが各コマの間隔を定義するものとなっている。
【００４２】
写真フイルム５９が収納されるパトローネ６３は、外側のケース６３ａやスプール軸６３ｂ等がプラスチックで形成されたもので、写真フイルム５９が出入りするフイルム出入り口６４には、従来のテレンプに代わって回転動作によりフイルム出入り口６４を開閉するプラスチック製の蓋部材６５が組み込まれている。このパトローネ６３は、未使用時には写真フイルム５９を先端まで全て内部に収納しておき、カメラ等に装填されると始めに蓋部材６５が回動されてフイルム出入口６４が開放され、その後スプール軸６３ｂが図中時計方向に回転されることにより、フイルム出入り口６４から写真フイルム５９が送り出されるようになっている。
【００４３】
なお、上記パトローネ６３がレンズ付きフイルムユニットに装填される場合には、従来の１３５サイズの写真フイルムを収納したパトローネと同様に、予めパトローネ６３内から全ての写真フイルム５９が引き出された状態で装填され、写真フイルム５９への１コマの撮影毎にスプール軸６３ｂに係合された巻上げノブ６７が回転操作されて、最終的に露光済みの写真フイルム５９が全てパトローネ６３内に巻き上げられる。
【００４４】
前記従動スプロケット５５は、最初に大歯５７が大パーフォレーション６０に噛合された状態で停止されており、写真フイルム５９の位置決めを行うようになっている。そして、写真フイルム５９が移送されると、大歯５７が大パーフォレーション６０に付勢されて従動スプロケット５５は僅かに回動され、更に大歯５７が大パーフォレーション６０から抜けて外周面５５ａが写真フイルム５９に摺接される。しかしながら、この回転量では、小歯５８が次の小パーフォレーション６１に噛合する位置まで移動することができない。そのため、カム軸５３が従動スプロケット５５の回転を補助し、小歯５８を次の小パーフォレーション６１に噛合できる位置まで移動させるようになっている。
【００４５】
カム軸５３は、上から駆動ギヤである二歯ギヤ６９，係止カム７０，巻止めカム７１，シャッタチャージカム７２，付勢カム７３，軸７４が一体に形成されたものとなっており、軸７４が軸受け部５１に回転自在に挿入されて、下端に従動スプロケット５５が組み付けられる。
【００４６】
巻止めカム７１は、外周に２個の溝７１ａが形成されており、写真フイルム５９が１コマ分巻き上げられると、周知の係止レバーが係合して写真フイルム５９の巻き上げを規制するためのものである。シャッタチャージカム７２は、回転対称に配置された一対の羽根形状をした突出部７２ａを有し、写真フイルム５９の１コマ巻き上げに連動して周知のシャッタ駆動レバーをシャッタチャージ位置に移動するためのものである。
【００４７】
付勢カム７３は、前述したようにフイルム移送時に、従動スプロケット５５の小歯５８を小パーフォレーション６１に噛合させるための回転補助を行う部材となっている。付勢カム７３の外周には、回転対称に配置された一対の突出部７３ａが形成されており、この突出部７３ａが図示しない付勢部材によって押圧されることにより、カム部材５３がフイルム移送による従動方向へ回転される。
【００４８】
図９に示すように、二歯ギヤ６９は、軸７４と同軸の円柱の周面から略放射状に回転対称に突出された一対の突起６９ａからなり、これらの突起６９ａは、二歯ギヤ６９が半回転するごとに撮影枚数表示板５４の外周に形成された歯５４ａに噛合して、撮影枚数表示板５４を一目盛り分回動させる。また、二歯ギヤ６９は、撮影枚数表示板５４を実際に回動させるとき以外は撮影枚数表示板５４に接触されない形状とされているので、ガタツキ等により影枚数表示板５４を余分に回動させることはない。
【００４９】
係止カム７０は、撮影枚数表示板５４の下部に一体に形成された係止ギヤ７６の歯７６ａに噛合して、撮影枚数表示板５４の不用意な回動を防止するものである。係止カム７０は、軸７４と同軸とされた円柱から構成されており、この円柱の周面には二歯ギヤ６９の突起６９ａを挟み込むように一対の切欠７０ａが設けられている。これらの切欠７０ａは、二歯ギヤ６９が撮影枚数表示板５４に噛合して一目盛り分回動させるときに係止ギヤ７６に対面して、係止ギヤ７６との噛合を解除する。なお、係止ギヤ７６の歯７６ａの円弧径と係止カム７０の外径とは同径とされているので、係止カム７０の回転に何ら支障はない。
【００５０】
このように、二歯ギヤ６９の歯６９ａや係止カム７０の切欠７０ａ等が回転対称で２個ずつ設けられているのは、カム軸５３が半回転するごとに各機構を駆動するためであり、例えば１／３回転するごとに各機構を駆動するカム軸では、３個の突起や切欠を有することになる。
【００５１】
また、係止ギヤ７６の歯７６ａは、撮影枚数表示板５４の歯５４ａに対して位相が僅かにずらされて設けられている。これにより、二歯ギヤ６９の突起６９ａが最初に撮影枚数表示板５４の歯５４ａに接触するときの噛合量は、２点鎖線で示す、歯７６ａと同位相とされた従来の歯５４ｂとの噛合量よりも格段に大きくなり、二歯ギヤ６９が撮影枚数表示板５４に噛合できずに空回りしてしまうという不具合は発生しない。
【００５２】
また、二歯ギヤ６９が撮影枚数表示板５４を回動させ終わって撮影枚数表示板５４との噛合を解除する際には、図１０に示すように、突起６９ａと歯５４ａとが引っ掛かることはなく、突起６９ａは素直に抜けるので、突起６９ａが歯５４ａから抜けきらずに撮影枚数表示板５４を余分に回動させてしまうようなこともない。
【００５３】
また、二歯ギヤ６９の上部には軸７８が形成されており、この軸７８はメカベース５０の上部に組み付けられる保持板７９に形成された穴８０に挿入される。また、保持板７９には軸５２が挿入される穴８１も設けられており、撮影枚数表示板５４とカム軸５３との軸間距離を一定に保って、二歯ギヤ６９と撮影枚数表示板５４との噛合をより確実なものとしている。
【００５４】
上記各実施形態で説明したフイルムカウンタ機構は、例えば撮影可能枚数が２７枚程度の長さの写真フイルムの撮影枚数をカウントするためのものであるが、レンズ付きフイルムユニットに更に長い写真フイルムを装填して撮影枚数を増やすと、係止ギヤの歯のピッチが狭くなって係止カムとの噛合量が少なくなり、効果が減じてしまうことがある。以下で説明する更に別の実施形態のフイルムカウンタ機構は、この問題点を解決するためのものである。
【００５５】
図１１に示すフイルムカウンタ機構は、例えば３９枚撮影可能な長さの１３５サイズの写真フイルムの撮影枚数をカウントするためのものであり、露光ユニットのメカベース８５の上面に一体に形成された軸受け部８６と軸８７とには、カム軸８８と、下部に歩進ギヤ８９が一体に形成された撮影枚数表示板９０とが回転自在に挿入されている。また、メカベース８５の内部では、カム軸８８の下端に写真フイルムのパーフォレーションに噛合される従動スプロケットが同軸で組み付けられている。
【００５６】
カム軸８８には、周知のシャッタチャージカム９２，巻止めカム９３が形成されており、その上部には、歩進ギヤ８９に噛合して撮影枚数表示板８９を一目盛り分回動させる駆動ギヤである一歯ギヤ９５と、この一歯ギヤ９５が歩進ギヤ８９に噛合しない間、撮影枚数表示板９０に噛合して不用意な回動を防止する係止カム９６とが一体に形成されている。
【００５７】
一歯ギヤ９５は、図１２に示すように、カム軸８８に対して同軸で設けられた円柱の周面から略放射状に突出された突起９５ａを備えている。この突起９５ａは、図１３に示すように、カム軸８８が写真フイルムの移送によって一回転される度に歩進ギヤ８９の歯８９ａに噛合して撮影枚数表示板９０を一目盛り分回動させる。また一歯ギヤ９５は、撮影枚数表示板９０を実際に回動させるとき以外は歩進ギヤ８９に接触されない形状とされているので、ガタツキ等により影枚数表示板９０を余分に回動させることはない。
【００５８】
係止カム９６は、カム軸８８と同軸とされた円柱から構成されており、図１２に示すように、撮影枚数表示板９０の歯９０ａに噛合して撮影枚数表示板９６の不用意な回動を防止する。この係止カム９６の周面には、一歯ギヤ９５の突起９５ａを挟み込むように切欠９６ａが設けられている。この切欠９６ａは、図１３に示すように、一歯ギヤ９５が歩進ギヤ８９に噛合したときに撮影枚数表示板９０に対面して、撮影枚数表示板９０との噛合を解除するためのものである。
【００５９】
撮影枚数表示板９０の外周には、装填される写真フイルムをカウントするのに必要な数の歯９０ａが形成されており、各歯９０ａのピッチは３９枚用の写真フイルムをカウントするために、２７枚用の写真フイルムをカウントする撮影枚数表示板のものよりも狭いものとなっている。そのため、本実施形態の撮影枚数表示板９０は、後カバーに干渉しない限度一杯まで大径とされて係止カム９６との噛合量が大きくされているので、歯９０ａのピッチが狭くても確実に撮影枚数表示板９０の不要な回動を防止できるようになっている。
【００６０】
撮影枚数表示板９０の下部の歩進ギヤ８９は、撮影枚数表示板９０よりも小径とされている。また、外周に形成された歯８９ａは、撮影枚数表示板９０の歯９０ａと同数で僅かに位相がずらされて設けられている。これにより、図１３に示すように、一歯ギヤ９５の突起９５ａと歩進ギヤ８９の歯８９ａとの噛合量は格段に大きなものとなるので、一歯ギヤ９５が歩進ギヤ８９に噛合できずに空回りするようなことはない。
【００６１】
また、一歯ギヤ９５が歩進ギヤ８９を回動させ終わったときには、図１４に示すように、突起９５ａは素直に歯８９ａから抜けることができるので、突起９５ａと歯８９ａとの引っ掛かりにより撮影枚数表示板９０が余分に回動されることはない。
【００６２】
なお、撮影枚数表示板９０を係止用としたのは、係止ギヤを撮影枚数表示板の下部に配置して撮影枚数表示板よりも大径化すると、従来のように、カム軸をメカベースに組み付けてから撮影枚数表示板を組み付けることができなくなるためであるが、本実施形態のように撮影枚数表示板を係止用とすると、大径化しても従来通りの組み付け方法を利用することができる。
【００６３】
また、一歯ギヤ９５の上部には軸９８が形成されており、この軸９８はメカベース８５の上部に組み付けられる保持板９９に形成された穴１００に挿入される。また、保持板９９には軸８７が挿入される穴１０１も設けられており、撮影枚数表示板９０とカム軸８８との軸間距離を一定に保って、一歯ギヤ９５と歩進ギヤ８９、及び係止カム９６と撮影枚数表示板９０との噛合をより確実なものとしている。
【００６４】
また、上記各フイルムカウンタ機構において、係止ギヤ及び撮影枚数表示板の歯の一部を大きくすることにより、よりカウント動作を確実なものとすることができる。以下に、図１１〜１４で示したカウント数の増加されたフイルムカウンタ機構を例にして説明する。
【００６５】
図１６に示す撮影枚数表示板１１０は、図１１に示すフイルムカウンタ機構で撮影枚数表示板９０に代わって使用されるものであり、写真フイルムの撮影枚数を３９枚分カウントできるように、表面に「０」〜「３９」までの目盛り用の数字と、これらの間に適宜配置される目盛り用の点とが同一円周上に記されている。この撮影枚数表示板１１０の外周に形成された歯１１１は、撮影枚数表示板１１０の不用意な回動を防止する係止用の歯であり、撮影枚数表示板１１０の一段下に一体に設けられたギヤ１１２は、撮影枚数表示板１１０を一目盛り分ずつ回動する歩進用のギヤとなっている。
【００６６】
撮影枚数表示板１１０の歯１１１のうち、符号１１１ａ，１１１ｂ，１１１ｃ，１１１ｄ，１１１ｅ，１１１ｆ，１１１ｇで示す歯は、その他の多数の歯よりも若干大きくされており、これらの歯１１１ａ〜１１１ｇがカム軸８８の係止カム９６に噛合する際には、撮影枚数表示板１１０とカム軸８８との噛合状態が緊密になるので、撮影枚数表示板１１０のガタツキを抑えることができる。
【００６７】
歯１１１ｂ，１１１ｃで構成される歯間１１４は、フイルムカウンタ機構を含む露光ユニットの組立て時に、最初にカム軸８８の係止カム９６に噛み合わされる部分、すなわち撮影枚数表示板１１０の位置決めに使用される部分となっている。
【００６８】
露光ユニットの組み立てでは、メカベース８５に保護板９９が組み付けられるまでの間、撮影枚数表示板１１０とカム軸８８との軸間が規制されないため、撮影枚数表示板１１０と係止カム９６との噛合が非常に不安定なものとなる。これは、撮影枚数表示板とカム軸との噛合量が少ない、撮影枚数の増加されたフイルムカウンタ機構ほど顕著な問題となる。そのため、保護板９９が組み付けられるまでの僅かな間にメカベース８５に振動や衝撃等が与えられると、撮影枚数表示板１１０が不用意に回動して初期位置がずれてしまうことがあり、この撮影枚数表示板１１０の初期位置がずれた露光ユニットが組み込まれたレンズ付きフイルムユニットでは、正確なカウント動作が行われなくなるという問題がある。
【００６９】
しかしながら、歯間１１４を構成する歯１１１ｂ，１１１ｃを若干大きくすることにより、保護板９９が組み付けられるまでのあいだの撮影枚数表示板１１０と係止カム９６との噛合がしっかりと行われるようになるので、僅かな衝撃や振動などで撮影枚数表示板１１０が組付け位置からずれるようなことがなくなるという作用効果を得ることができる。
【００７０】
写真フイルムパトローネを装填して完成したユニット本体では、シャッタレリーズによる機能検査が行われるが、この機能検査に用いる写真フイルムの使用量を最小にするために、露光ユニットはシャッタチャージ直前の状態で本体基部に組み付けられ、写真フイルムパトローネが装填されることになっている。上記歯１１１ｆ，１１１ｇが大きくされているのは、この歯１１１ｆ，１１１ｇで構成される歯間１１６がカム軸８８の係止カム９６に噛合されている際に、露光ユニットがチャージ直前の状態とされて本体基部に組み付けられるためであり、このときに撮影枚数表示板１１０がガタツキにより回動して露光ユニットがシャッタチャージされるのを防止するためである。
【００７１】
また、写真フイルムの全てのコマへの撮影を終了すると、撮影枚数表示板１１０の下面に形成されたリブ１１８がフイルム巻止めを行う係止レバーのリブに係合してフイルム巻止めが掛かるの防止し、この間に写真フイルムの全てがパトロール内に巻き上げられるようになっている。歯１１１ａ，１１１ｂ，１１１ｃ，１１１ｄ，１１１ｅ，１１１ｆが大きくされているのは、この最後のフイルム巻上げの期間を正確に規定するためである。
【００７２】
図１７に示すように、歯１１１ａ，１１１ｂで構成される歯間１２０がカム軸８８の係止カム９６に噛合しているときには、撮影枚数表示板１１０のリブ１１８と係止レバー１２１のリブ１２２との隙間Ｌは０．３ｍｍしかない。これは、リブ１１８とリブ１２２とが配置されている位置が、撮影枚数表示板１１０が一目盛り分回動する毎におよそ０．６ｍｍピッチの移動を行う位置にあるためであり、撮影枚数表示板１１０の歯間１１４が係止カム９６に噛合するときには、リブ１１８とリブ１２２との係合量は０．３ｍｍとなる。
【００７３】
このように、リブ１１８とリブ１２０との隙間が僅かな時や、係合量が僅かな時に撮影枚数表示板１１０が不用意に回動してしまうと、再びシャッタチャージがなされてしまい写真フイルムをパトローネ内に巻き上げることができなくなってしまうという不具合が発生するが、歯１１１ａ，１１１ｂ，１１１ｃを大きくして撮影枚数表示板１１０のガタツキをなくすと、このような不具合の発生を防止することができる。
【００７４】
また、歯１１１ｄ，１１１ｅで構成される歯間１２４が係止カム９６に噛合しているときには、図１８に示すように、撮影枚数表示板１１０のリブ１１８と係止レバー１２１のリブ１２２との噛合が、外れる直前で０．３ｍｍの噛合量となっている。しかしながら、この歯間１２４を構成する歯１１１ｄ，１１１ｅも大きくされて撮影枚数表示板１１０のガタツキが抑えられているので、リブ１１８，１２２同士の噛合が外れてしまうようなことはない。
【００７５】
同様に歯１１１ｅ，１１１ｆで構成される歯間１２６が係止カム９６に噛合しているときには、図１９に示すように、撮影枚数表示板１１０のリブ１１８と係止レバー１２１のリブ１２２との噛合は外れており、その隙間Ｌは０．３ｍｍしかない。しかしながら、歯１１１ｅ，１１１ｆが大きくされていることにより撮影枚数表示板１１０のガタツキが抑えられるので、撮影枚数表示板１１０が不用意に回動してリブ１１８，１２２の係合が不必要に長く行われてしまうようなことはない。
【００７６】
また、図１６に示すように、撮影枚数表示板１１０では歯１１１ｄ〜１１１ｇで構成される歯間１２４，１２６，１１６の外径が大きくされて、歩進ギヤ１１２の歯１１２ａを隠すようにしている。
【００７７】
撮影枚数表示板１１０は、メカベース８５への自動組立て工程に向けて供給される際に、複数個がガイド内等を同姿勢で移動され、この搬送時の状態を下方から見た図２０に示すように、各撮影枚数表示板１１０は搬送方向の前後で突き当たった状態となっている。そして撮影枚数表示板１１０が取出し位置に到達すると、撮影枚数表示板１１０は上方に垂直に持ち上げられてメカベース８５の軸８７に組み付けられる。
【００７８】
この撮影枚数表示板１１０を持ち上げるときに、前後の撮影枚数表示板１１０の歯１１１と歩進ギヤ１１２の歯１１２ａとが重なっていると、搬送方向の後ろ側の撮影枚数表示板１１０が引っ掛かってしまい、ガイドから落下したり姿勢が変化してしまうことがある。しかしながら、歯間１２４，１２６，１１６の外径を大きくして歩進ギヤ１１２の歯１１２ａを隠すと、図２１に示すように、撮影枚数表示板１１０同士が重なることを防止できる。
【００７９】
なお、上述の特定の歯を大きくした撮影枚数表示板や、特定の歯間の外径を大きくした撮影枚数表示板は、カウント数の増加されたフイルムカウンタ機構以外に、一般的な２７枚用のフイルムカウンタ機構にも用いることができ、同様の効果を得ることができる。
【００８０】
レンズ付きフイルムユニットは、ユーザーの使用後に回収されて分解され、各部が再利用あるいは再使用される。フイルムカウンタ機構を備えた露光ユニットは、撮影枚数表示板がリセットされ、シャッタ機構等の機能検査を経てから再使用される。しかしながら、露光ユニットから撮影枚数表示板をいったん取り外し、リセット位置で組み付け直すのは作業効率が悪いという問題がある。以下に、リセット作業が容易な撮影枚数表示板について説明する。
【００８１】
図２２に示す撮影枚数表示板１３０は、写真フイルムの撮影枚数を例えば２５枚分カウントできるように、表面に「０」〜「２５」までの目盛り用の数字と、これらの間に適宜配置される目盛り用の点とが同一円周上に記されている。撮影枚数表示板１３０の外周には、カム軸１３１の係止カム１３２が噛合される係止ギヤ１３３が形成されており、撮影枚数表示板１３０の下面には駆動ギヤであるカム軸１３１の二歯ギヤ１３４が噛合される歩進ギヤ１３５が一体に形成されている。
【００８２】
そして、写真フイルムの１コマ分の巻上げによるカム軸１３１の図中反時計方向への回転によって、二歯ギヤ１３４により撮影枚数表示板１３０は時計方向に一目盛り分回動され、係止カム１３２はこの回動途中で係止ギヤ１３３に噛合して撮影枚数表示板１３０のズレを防止する。
【００８３】
この撮影枚数表示板１３０の係止ギヤ１３３及び歩進ギヤ１３５には、カム軸１３１の係止カム１３２及び二歯ギヤ１３４に干渉しないように、数歯分の歯が形成されていない欠歯区間１３７，１３８がそれぞれ形成されている。これらの欠歯区間１３７，１３８には、レンズ付きフイルムユニットの使用が終了して写真フイルムが全てパトローネ内に巻き上げられ、目盛り「０」が撮影枚数表示表示窓１４０の中央に表示されているとき、すなわちカウント終了時にカム軸１３１の係止カム１３２及び二歯ギヤ１３４に対面する。
【００８４】
上記状態の時に、外部から撮影枚数表示板１３０を強制的に図中反時計方向に回転させ、係止ギヤ１３３及び歩進ギヤ１３５を係止カム１３２及び二歯ギヤ１３４に噛合させると、目盛り「２５」の直前に配置されている検査用の１コマを示す目盛り１４２が撮影枚数表示窓１４０の中央に配置され、撮影枚数表示板１３０はリセットされたことになる。
【００８５】
このように、撮影枚数表示板１３０の係止ギヤ１３３及び歩進ギヤ１３５に部分的に欠歯区間１３７，１３８を設けることにより、露光ユニットを分解せずに簡単に撮影枚数表示板１３０のリセットが行えるようになる。
【００８６】
また、図２３に示すように、歩進ギヤ１３５にだけ欠歯区間１３８を設けても同様に撮影枚数表示板１３０のリセットは行える。これは、係止ギヤ１３３と係止カム１３２との噛合量が浅いため、カム軸１３１を撮影枚数表示板１３０から離れる方向に僅かに逃がすことにより、撮影枚数表示板１３０をリセット位置まで回動できるためである。この場合には、撮影枚数表示板１３０の係止ギヤ１３３の歯の数が、歩進ギヤ１３５の歯の数よりも数歯分多くなる。なお、この欠歯区間による撮影枚数表示板のリセットは、上述した各実施形態のフイルムカウンタ機構にも利用することができ、駆動ギヤが噛合される歩進用のギヤが撮影枚数表示板の外周に設けられ、その下面に係止ギヤが設けられている場合には、撮影枚数表示板の外周の歩進用のギヤだけに欠歯区間を設ければよい。
【００８７】
また、上記各実施形態は、本発明のフイルムカウンタ機構をレンズ付きフイルムユニットに用いたものであるが、レンズ付きフイルムユニット以外に低価格な手動巻上げ式のカメラに用いることもできる。また、写真フイルムの１コマ分の移送により１回転されるフイルムカウンタ機構と、半回転されるフイルムカウンタ機構とについて説明したが、本発明は、写真フイルム１コマ分の移送により、２回転や１／３回転、更に１／４回転されるものにも実施することができる。
【００８８】
【発明の効果】
以上説明したように、本発明のフイルムカウンタ機構は、係止ギヤに対し、歩進ギヤの歯を撮影枚数表示板の回動方向に半ピッチ未満で位相をずらして設けたので、駆動ギヤの噛合量が格段に多くなる。これにより、駆動ギヤの空回り等が発生せずに確実に撮影枚数表示板を一目盛り分回動できるようになる。また、撮影枚数表示板を回動し終えた後には、歩進ギヤの歯から駆動ギヤの歯が素直に抜けることができるので、撮影枚数表示板が余分に回動されることはない。
【００８９】
また、駆動ギヤの形状は、実際に撮影枚数表示板を回動させるときにのみ歩進ギヤに接触される形状としたので、駆動ギヤ回転時のガタツキ等により撮影枚数表示板が不用意に回動されることもない。
【００９０】
更に、カウント数を増やす場合には撮影枚数表示板を係止用に用い、この撮影枚数表示板の下部に歩進用のギヤを配置したので、撮影枚数表示板を大径化して係止カムとの噛合量を大きくすることができ、長い写真フイルムでも適正に撮影枚数をカウントすることができる。
【００９１】
また、歩進ギヤの外周に、カウント終了時に駆動ギヤに対面して該駆動ギヤとの噛合を解除する数歯分の歯のない欠歯区間を形成したので、この欠歯区間を利用して撮影枚数表示板を外部から強制的に回動させることができ、フイルムカウンタ機構の再利用を容易に行うことができる。
【図面の簡単な説明】
【図１】フイルムカウンタ機構の撮影枚数表示板回動開始時の状態を示す平面図である。
【図２】本発明を実施したレンズ付きフイルムユニットの外観斜視図である。
【図３】ユニット本体の構成を示す分解斜視図である。
【図４】フイルムカウンタ機構と写真フイルムとの関係の概略を示す正面図である。
【図５】フイルムカウンタ機構の構成を示す斜視図である。
【図６】撮影枚数表示板回動終了時のフイルムカウンタ機構を示す平面図である。
【図７】別の実施形態のフイルムカウンタ機構の構成を示す斜視図である。
【図８】別の実施形態の従動スプロケットと写真フイルムとの噛合状態を示す斜視図である。
【図９】別の実施形態の撮影枚数表示板回動開始時のフイルムカウンタ機構を示す平面図である。
【図１０】別の実施形態の撮影枚数表示板回動終了時のフイルムカウンタ機構を示す平面図である。
【図１１】更に別の実施形態のフイルムカウンタ機構の構成を示す斜視図である。
【図１２】更に別の実施形態の不使用時のフイルムカウンタ機構を示す平面図である。
【図１３】更に別の実施形態の撮影枚数表示板回動開始時のフイルムカウンタ機構を示す平面図である。
【図１４】更に別の実施形態の撮影枚数表示板回動終了時のフイルムカウンタ機構を示す平面図である。
【図１５】従来のフイルムカウンタ機構を示す平面図である。
【図１６】更にまた別の実施形態の撮影枚数表示板の平面図である
【図１７】更にまた別の実施形態のフイルムカウンタ機構の写真フイルム巻込み直前の状態を示す平面図である。
【図１８】更にまた別の実施形態のフイルムカウンタ機構の写真フイルム巻込み中の状態を示す平面図である。
【図１９】更にまた別の実施形態のフイルムカウンタ機構の写真フイルム巻込み終了直後の状態を示す平面図である。
【図２０】更にまた別の実施形態の撮影枚数表示板の搬送時を下方から見た図である。
【図２１】更にまた別の実施形態の撮影枚数表示板の搬送時の要部拡大図である。
【図２２】リサイクル適正を向上させたフイルムカウンタ機構の説明図である。
【図２３】リサイクル適正を向上させたフイルムカウンタ機構の別の実施形態の説明図である。
【符号の説明】
２  レンズ付きフイルムユニット
１３  露光ユニット
３３，５５  従動スプロケット
３４，５３，８８  カム軸
３５，５４，９０，１１０，１３０  撮影枚数表示板
４０，９５  一歯ギヤ
４０ａ，９５ａ，６９ａ  突起
４１，７０，９６，１３２  係止カム
４６，５２，１３３  係止ギヤ
６９，１３４  二歯ギヤ
８９，１３５  歩進ギヤ
１３７，１３８  欠歯区間
【図１】
0003549036.tif 000002
【図２】
0003549036.tif 000003
【図３】
0003549036.tif 000004
【図４】
0003549036.tif 000005
【図５】
0003549036.tif 000006
【図６】
0003549036.tif 000007
【図７】
0003549036.tif 000008
【図８】
0003549036.tif 000009
【図９】
0003549036.tif 000010
【図１０】
0003549036.tif 000011
【図１１】
0003549036.tif 000012
【図１２】
0003549036.tif 000013
【図１３】
0003549036.tif 000014
【図１４】
0003549036.tif 000015
【図１５】
0003549036.tif 000016
【図１６】
0003549036.tif 000017
【図１７】
0003549036.tif 000018
【図１８】
0003549036.tif 000019
【図１９】
0003549036.tif 000020
【図２０】
0003549036.tif 000021
【図２１】
0003549036.tif 000022
【図２２】
0003549036.tif 000023
【図２３】
0003549036.tif 000024